(57)【要約】【課題】転輪通過面に接触する外周部の熱を外部に良好に放熱することが可能になり、しかもこのような転輪を容易に形成することができる。【解決手段】駆動輪２１と従動輪との間にクローラベルト２２が無端帯状に巻回されてなるクローラ式走行体２０において、クローラベルト２２の内周面にその全周にわたって設けられた転輪通過面Ｓ上で、クローラベルト２２の送り移動に伴ってこのクローラベルト２２に対して転動させられるクローラ式走行体２０の転輪１０であって、転輪通過面Ｓ上に接触する外周部１３はゴム材料で形成されるとともに、この外周部１３の外周面に凸状、凹状若しくは凹凸状の第１放熱部１６が形成されている。【選択図】図１
2008105487.tif 000002
【特許請求の範囲】
【請求項１】
駆動輪と従動輪との間にクローラベルトが無端帯状に巻回されてなるクローラ式走行体において、前記クローラベルトの内周面にその全周にわたって設けられた転輪通過面上で、クローラベルトの送り移動に伴ってこのクローラベルトに対して転動させられるクローラ式走行体の転輪であって、
前記転輪通過面上に接触する外周部はゴム材料で形成されるとともに、この外周部の外周面に凸状、凹状若しくは凹凸状の第１放熱部が形成されていることを特徴とするクローラ式走行体の転輪。
【請求項２】
請求項１記載のクローラ式走行体の転輪であって、
内部に支軸が挿入される軸受筒部と、軸受筒部よりも大径とされるとともに、外周面に前記外周部が設けられた支持筒部と、軸受筒部と支持筒部とを連結するフランジ状部と、を有する本体部が備えられ、
前記軸受筒部の外周面、支持筒部の内周面、およびフランジ状部の表面の少なくとも一つに凸状、凹状若しくは凹凸状の第２放熱部が形成されていることを特徴とするクローラ式走行体の転輪。
【請求項３】
請求項２記載のクローラ式走行体の転輪であって、
前記第２放熱部は、前記支持筒部の内周面および前記フランジ状部の表面の双方に跨って連結されたリブ状体とされていることを特徴とするクローラ式走行体の転輪。
【発明の詳細な説明】
【技術分野】
【０００１】
本発明は、油圧ショベル等の建設機械、その他のクローラ式車両に装着されるクローラ式走行体の転輪に関するものである。
【背景技術】
【０００２】
この種のクローラ式走行体として、駆動輪と従動輪との間にクローラベルトが無端帯状に巻回されてなり、クローラベルトの内周面にその全周にわたって設けられた転輪通過面上で、クローラベルトの送り移動に伴ってこのクローラベルトに対して転動させられる転輪が設けられた構成が知られている。そして従来から、クローラ式走行体の乗り心地を向上させたり、転輪通過面の磨耗や損傷を防ぐために、転輪通過面に接触する転輪の外周部を硬質樹脂材で形成することが知られている。
ところが、このようなクローラ式走行体では、走行中に、前記外周部に径方向内方に向けた押圧力が作用した状態で、その外周面が転輪通過面上を摺動するので、この外周面上で発生した熱が前記外周部に蓄積されて劣化し易くなり、転輪の寿命が短くなるおそれがあった。
そこで、転輪の放熱性を向上させるための手段として、例えば下記特許文献１に示されるような、前記外周部に、軸方向に延びる貫通孔を周方向に間隔をあけて複数形成することが提案されている。
【特許文献１】実開平０４−５６５８８号公報
【発明の開示】
【発明が解決しようとする課題】
【０００３】
しかしながら、このような外周部を形成するには、例えば抜きテーパを考慮して成形型を設計しなければならない等、製造が困難であるとともに、前記貫通孔では、転輪の短命化を抑制する程度まで放熱性を向上させることができないおそれがあった。
【０００４】
この発明は、このような事情を考慮してなされたもので、転輪通過面に接触する外周部の熱を外部に良好に放熱することが可能になり、しかもこのような転輪を容易に形成することができるクローラ式走行体の転輪を提供することを目的とする。
【課題を解決するための手段】
【０００５】
上記課題を解決して、このような目的を達成するために、本発明のクローラ式走行体の転輪は、駆動輪と従動輪との間にクローラベルトが無端帯状に巻回されてなるクローラ式走行体において、前記クローラベルトの内周面にその全周にわたって設けられた転輪通過面上で、クローラベルトの送り移動に伴ってこのクローラベルトに対して転動させられるクローラ式走行体の転輪であって、前記転輪通過面上に接触する外周部はゴム材料で形成されるとともに、この外周部の外周面に凸状、凹状若しくは凹凸状の第１放熱部が形成されていることを特徴とする。
この発明によれば、前記外周部の外周面に第１放熱部が形成されているので、この外周面の表面積を増大させることが可能になり、しかもこの第１放熱部が、前記外周部の内部ではなく外周面に形成されているので、転輪の転動時に空気を確実に第１放熱部上で流動させることができ、外周部の熱を外部に良好に放熱することができる。さらに、このように第１放熱部が前記外周部の内部ではなく外周面に形成されているので、この第１放熱部を有する外周部を容易に形成することが可能になり、放熱性の向上された転輪の製造コストが増大するのを抑えることができる。また、転輪の外周部がゴム材料で形成されているので、クローラ式走行体の走行中に、前記外周部の外周面と転輪通過面との間に例えば石等が噛み込まれ、前記外周部に局所的に大きな衝撃力や押圧力が加わっても、この外周部が割れるのを防ぐこともできる。
【０００６】
ここで、内部に支軸が挿入される軸受筒部と、軸受筒部よりも大径とされるとともに、外周面に前記外周部が設けられた支持筒部と、軸受筒部と支持筒部とを連結するフランジ状部と、を有する本体部が備えられ、前記軸受筒部の外周面、支持筒部の内周面、およびフランジ状部の表面の少なくとも一つに凸状、凹状若しくは凹凸状の第２放熱部が形成されてもよい。
この場合、前記本体部に第２放熱部が形成されているので、前記外周部の熱を、その外周面側からのみならず、本体部との界面側からも放熱することが可能になり、この外周部の熱をより一層確実に外部に放熱することができる。すなわち、クローラ式走行体の走行中に外周部の外周面で発生した熱のうち、第１放熱部で放熱されず外周部に蓄積された熱が本体部に伝導したときに、この熱を第２放熱部から外部に放熱することができる。
【０００７】
また、前記第２放熱部は、前記支持筒部の内周面および前記フランジ状部の表面の双方に跨って連結されたリブ状体とされてもよい。
この場合、クローラ式走行体の走行中に、前記外周部の外周面に作用する径方向内方に向けた押圧力により、支持筒部においてフランジ状部が連結された部分から離れた部分が、径方向内方に向けて撓もうとしたときに、リブ状体の第２放熱部がこの撓み変形に抗するリブとして作用することになる。したがって、この転輪の放熱性のみならず剛性も向上させることが可能になり、転輪のさらなる長寿命化を図ることができる。
【発明の効果】
【０００８】
この発明によれば、転輪通過面に接触する外周部の熱を外部に良好に放熱することが可能になり、しかもこのような転輪を容易に形成することができる。
【発明を実施するための最良の形態】
【０００９】
以下、本発明に係るクローラ式走行体の転輪の第１実施形態を、図１および図２を参照しながら説明する。
例えば、油圧ショベル等の建設機械、その他のクローラ式車両においてその下部に装着される左右一対のクローラ式走行体２０はそれぞれ、図１に示されるように、駆動輪２１と図示されない従動輪との間にクローラベルト２２が無端帯状に巻回された概略構成とされている。
駆動輪２１はスプロケットとされ、車両フレームに設けられた例えば油圧モータ等の駆動手段により回転可能に支持されている。また、従動輪は前記車両フレームに回転自在に支持されている。
【００１０】
クローラベルト２２は、ゴム材料で無端帯状に成形されたベルト本体２３に、複数の芯金２４がベルト周方向に一定の間隔をあけて埋設されるとともに、これらの芯金２４同士の間に駆動輪２１に対する噛み合い孔２５が開口され、かつ各芯金２４のベルト幅方向中央部に、左右一対の芯金突起２４ａがベルト内周面側に向けて突設され、この芯金突起２４ａの間を駆動輪２１および従動輪が通過するようになっている。また、ベルト本体２３の内周面には、芯金突起２４ａよりもベルト幅方向外側に位置する部分に、その全周にわたって連続して延びる偏平な転輪通過面Ｓが形成されるとともに、ベルト本体２３の外周面には推進ラグ２６が突設されている。さらに、このベルト本体２３内において、芯金２４のベルト外周面側には、芯金突起２４ａよりもベルト幅方向外側に位置する部分に、その周方向に連続して延びるスチールコード層２７が埋設されている。
【００１１】
また、クローラベルト２２の内周面側において駆動輪２１と従動輪との間には、前記車両フレームに回転自在に支持された複数の転輪１０が設けられており、各転輪１０は、転輪通過面Ｓ上で、クローラベルト２２の送り移動に伴ってこのクローラベルト２２に対して転動させられるようになっている。ここで、複数の転輪１０のうち、一部はクローラベルト２２の内周面において地面側の下側に位置する部分をその上側から支持するように配置されるとともに、残りはクローラベルト２２の内周面において上側に位置する部分をその下側から支持するように配置されている。前者の転輪１０により、クローラベルト２２の外周面において下側に位置する部分をその全域にわたって接地させることが可能になり、また後者の転輪１０により、クローラベルト２２において上側に位置する部分が弛まないように保持できるようになっている。
【００１２】
そして、本実施形態では、転輪１０は、図２に示されるように、例えば金属材料で形成された筒状の本体部１２と、ゴム材料で形成されるとともに、転輪通過面Ｓ上に接触する外周部１３とを備えている。本体部１２は、内部に図示されない支軸が挿入される軸受筒部１１と、この軸受筒部１１よりも大径とされるとともに、外周面に前記外周部１３が設けられた支持筒部１４と、この支持筒部１４と軸受筒部１１とを連結するフランジ状部１５と、を備えている。
図示の例では、軸受筒部１１の両端開口部にそれぞれ、その径方向外方に延びる円板状のフランジ状部１５が連結されている。そして、各フランジ状部１５の外周縁部に、このフランジ状部１５を挟んで軸受筒部１１が配置されている側と反対方向に向けて支持筒部１４が立設されている。また、フランジ状部１５、支持筒部１４および軸受筒部１１は同軸上に配置されている。
【００１３】
さらに、本実施形態では、外周部１３の外周面に、凸状、凹状若しくは凹凸状の第１放熱部１６が形成されている。図示の例では、外周部１３は、支持筒部１４の外周面にその全域にわたって設けられており、第１放熱部１６は、この外周部１３の外周面にその全周にわたって連続して延在した周溝とされている。この第１放熱部１６が、外周部１３の幅方向に一定の間隔をあけて複数形成されている。
ここで、第１放熱部１６の幅ｇは、例えばこの第１放熱部１６のピッチ間隔ｗの１０％より大きく、かつ５０％より小さくなっている。また、第１放熱部１６の深さｄは、例えば外周部１３の厚さｈの１０％より大きく、かつ３０％より小さくなっている。
【００１４】
そして、本実施形態では、第１放熱部１６に加え、さらに転輪１０の本体部１２にも凸状、凹状若しくは凹凸状の第２放熱部１７が形成されている。図示の例では、第２放熱部１７は、支持筒部１４の内周面およびフランジ状部１５の表面の双方に跨って連結されたリブ状体とされている。すなわち、板状の第２放熱部１７において、その表裏面が、転輪１０の中心軸線方向および径方向の双方に沿って延在するように、支持筒部１４の内周面およびフランジ状部１５の表面の双方に跨って連結されている。また、この第２放熱部１７は、転輪１０の周方向に間隔をあけて複数配置されている。
【００１５】
なお、軸受筒部１１、支持筒部１４、フランジ状部１５および第２放熱部１７を有する本体部１２は一体に形成されている。さらに、以上のように構成された転輪１０は、例えば、本体部１２をインサート品としたインサート成形により射出成形された成形品を、この射出成形時のキャビティと同一のキャビティ内で加硫して外周部１３に形成することによって形成することができる。このように外周部１３を形成したときに、この外周部１３の内周面が支持筒部１４の外周面に接着し、かつ外周部１３の外周面に第１放熱部１６が形成される。
【００１６】
以上説明したように、本実施形態によるクローラ式走行体の転輪１０によれば、外周部１３の外周面に第１放熱部１６が形成されているので、この外周面の表面積を増大させることが可能になり、しかもこの第１放熱部１６が、外周部１３の内部ではなく外周面に形成されているので、転輪１０の転動時に空気を確実に第１放熱部１６上で流動させることができ、転輪１０の外周部１３の熱を外部に良好に放熱することができる。
【００１７】
さらに、このように第１放熱部１６が外周部１３の内部ではなく外周面に形成されているので、この第１放熱部１６を有する外周部１３を容易に形成することが可能になり、放熱性の向上された転輪１０の製造コストが増大するのを抑えることができる。また、転輪１０の外周部１３がゴム材料で形成されているので、クローラ式走行体２０の走行中に、外周部１３の外周面と転輪通過面Ｓとの間に例えば石等が噛み込まれ、外周部１３に局所的に大きな衝撃力や押圧力が加わっても、この外周部１３が割れるのを防ぐこともできる。
【００１８】
また、本実施形態では、外周部１３の外周面に形成された第１放熱部１６に加え、本体部１２にも第２放熱部１７が設けられているので、外周部１３の熱を、その外周面側からのみならず、本体部１２との界面側からも放熱することが可能になり、この外周部１３の熱をより一層確実に外部に放熱することができる。すなわち、クローラ式走行体２０の走行中に外周部１３の外周面で発生した熱のうち、第１放熱部１６で放熱されず外周部１３に蓄積された熱が本体部１２に伝導したときに、この熱を第２放熱部１７から外部に放熱することができる。
【００１９】
さらに、本実施形態では、第２放熱部１７が、支持筒部１４の内周面およびフランジ状部１５の表面の双方に跨って連結されたリブ状体とされているので、クローラ式走行体２０の走行中に、外周部１３の外周面に作用する径方向内方に向けた押圧力により、支持筒部１４においてフランジ状部１５が連結された部分から離れた部分が、径方向内方に向けて撓もうとしたときに、リブ状体の第２放熱部１７をこの撓み変形に抗するリブとして作用させることが可能になる。したがって、この転輪１０の放熱性のみならず剛性も向上させることが可能になり、転輪１０のさらなる長寿命化を図ることができる。
【００２０】
なお、本発明の技術的範囲は前記実施の形態に限定されるものではなく、本発明の趣旨を逸脱しない範囲において種々の変更を加えることが可能である。
例えば、前記実施形態では、第１放熱部１６として、外周部１３の全周にわたって連続して延在した溝部を示したが、これに代えて、幅方向に延在した溝部、または幅方向および周方向の双方に傾斜する方向に延びる溝部を採用してもよいし、さらには、これらの溝部を適宜組み合わせてもよい。また、第１放熱部１６として凹状の溝部を示したが、これに代えて、例えば凸状、若しくは凹凸状の第１放熱部を採用してもよい。この第１放熱部として、例えば外周部１３の外周面を粗面化することによってその表面粗さを大きくした粗面部を採用してもよい。なお、この粗面部は、例えば、加硫成形時に用いるキャビティの内面に微小な凹凸部を設けておく等の適宜手段によって形成することができる。
【００２１】
また、前記実施形態の第２放熱部１７に代えて、凹状若しくは凹凸状の第２放熱部を採用してもよい。例えば、軸受筒部１１の外周面、支持筒部１４の内周面、およびフランジ状部１５の表面の少なくとも一つに突設したフィンを採用してもよいし、あるいは軸受筒部１１の外周面、支持筒部１４の内周面、およびフランジ状部１５の表面の少なくとも一つにサンドブラスト加工等の粗面化処理を施して形成した粗面部を採用してもよいし、さらには軸受筒部１１の外周面、支持筒部１４の内周面、およびフランジ状部１５の表面の少なくとも一つに形成した溝部を採用してもよい。
さらにまた、前記実施形態で示した第２放熱部１７に代えて、例えば支持筒部１４の内周面およびフランジ状部１５の表面の双方に跨って連結されたリブ状体が転輪１０の全周にわたって延設された構成を採用してもよい。また、本体部１２に第２放熱部を設けなくてもよい。
【００２２】
さらに、前記実施形態では、軸受筒部１１、支持筒部１４、フランジ状部１５および第２放熱部１７が一体に形成された構成を示したが、これに代えて、例えば、それぞれを別部材として例えば溶接等で接合してもよい。
また、前記実施形態では、転輪通過面Ｓとして、ベルト本体２３の内周面において、芯金突起２４ａよりもベルト幅方向外側に位置する部分に、その全周にわたって連続して延びる偏平な構成を示したが、これに代えて、例えば、ベルト周方向に間隔をあけて複数配置された芯金突起２４ａの突端面をベルト本体２３と一体に連なるゴム材料で被覆して、この突端面上を被覆するゴム材料の表面を転輪通過面としてもよい。なお、この転輪通過面では、ベルト本体２３の内周面にその全周にわたって断続的に延在している。
【００２３】
さらに、前記実施形態では、ベルト本体２３に駆動輪２１に対する噛み合い孔２５を形成したが、これに代えて、例えば、ベルト本体２３の内周面に、その周方向に間隔をあけて複数の噛み合い突部を形成し、これらの噛み合い突部同士の間を、駆動輪２１におけるスプロケットの歯が挿入される噛み合い凹部とするクローラ式走行体を採用してもよい。このようなクローラ式走行体において、転輪１０が転動させられる転輪通過面は、ベルト本体２３の内周面において前記噛み合い突部よりもベルト幅方向外側に位置する平滑面としてもよい。なお、このようなベルト本体２３では、その内部に芯金２４に代えて複数の補強プライ層を埋設してもよい。
【００２４】
また、前記実施形態の本体部１２に代えて、図３に示されるように、支持筒部１４の径方向内方に軸受筒部１１を同軸上に配置して、支持筒部１４の内周面における軸線方向中央部と軸受筒部１１の外周面における軸線方向中央部とを、フランジ状部１５で連結した本体部１８を採用してもよい。このような本体部１８を備えた転輪１０では、支軸の中心軸線方向両側にそれぞれ、転輪１０を各別に取り付けて用いることができる。
【産業上の利用可能性】
【００２５】
転輪通過面に接触する外周部の熱を外部に良好に放熱することが可能になり、しかもこのような転輪を容易に形成することができる。
【図面の簡単な説明】
【００２６】
【図１】本発明に係る一実施形態として示したクローラ式走行体の一部断面を含む斜視図である。
【図２】図１に示すクローラ式走行体の転輪の縦断面図、および側面図である。
【図３】本発明に係る他の実施形態として示したクローラ式走行体の転輪の縦断面図である。
【符号の説明】
【００２７】
１０  転輪
１１  軸受筒部
１２、１８  本体部
１３  外周部
１４  支持筒部
１５  フランジ状部
１６  第１放熱部
１７  第２放熱部
２０  クローラ式走行体
２１  駆動輪
２２  クローラベルト
Ｓ  転輪通過面
【図１】
2008105487.tif 000003
【図２】
2008105487.tif 000004
【図３】
2008105487.tif 000005